【手続補正書】
【提出日】平成30年1月30日(2018.1.30)
【手続補正１】
【補正対象書類名】特許請求の範囲
【補正対象項目名】全文
【補正方法】変更
【補正の内容】
【特許請求の範囲】
【請求項１】
複数の物品を保持するキャリアであって、該キャリアは、
該キャリアの内部の周りに少なくとも部分的に延びる複数のパネルであって、該複数のパネルは少なくともボトムパネルを含む、複数のパネルと、
前記複数の物品のうちの１つの物品の少なくとも一部分に係合する保持用タブであって、該保持用タブは、少なくとも前記ボトムパネルにある開口に隣接して少なくとも前記ボトムパネルに折り曲げ可能につながっており、
該保持用タブは、
第１の折り線に沿って第１の近位部分に、第２の折り線に沿って第２の近位部分に、また第３の折り線に沿って第３の近位部分にそれぞれ折り曲げ可能につながっている遠位部分を有し、前記第１の折り線は、前記第２の折り線から離間しており、前記遠位部分は、前記ボトムパネルから概ね離間して前記少なくとも１つの物品の少なくとも底部に係合するものであり、前記第１の近位部分、前記第２の近位部分及び前記第３の近位部分のそれぞれは、前記ボトムパネルから前記遠位部分まで延びるとともに、前記ボトムパネルに折り曲げ可能につながっており、前記遠位部分の第１の縁が、前記第１の折り線と前記第２の折り線の間に延び、前記遠位部分の第２の縁が、前記第３の折り線と前記第２の折り線の間に延びる、保持用タブと、
を備える、キャリア。
【請求項２】
前記遠位部分は、前記ボトムパネルに対して略平行である、請求項１に記載のキャリア。
【請求項３】
前記第３の折り線は、前記第１の折り線と略同一線上にある、請求項１に記載のキャリア。
【請求項４】
前記遠位部分の一部分が、前記第１の折り線及び前記第３の折り線のそれぞれの端の間に延びる、請求項１に記載のキャリア。
【請求項５】
前記遠位部分の前記第１の縁が、前記第１の折り線の端から前記第２の折り線の端まで延びる、請求項１に記載のキャリア。
【請求項６】
前記第１の近位部分は、第４の折り線に沿って前記ボトムパネルに折り曲げ可能につながっており、前記第２の近位部分は、第５の折り線に沿って前記ボトムパネルに折り曲げ可能につながっており、前記第４の折り線は、前記第５の折り線から離間している、請求項１に記載のキャリア。
【請求項７】
前記第１の折り線、前記第２の折り線、前記第３の折り線、及び前記第４の折り線は、互いに対して略平行である、請求項６に記載のキャリア。
【請求項８】
前記第４の折り線は、前記第１の折り線から第１の距離だけ離間し、前記第５の折り線は、前記第２の折り線から第２の距離だけ離間し、前記第１の距離は、前記第２の距離よりも大きい、請求項６に記載のキャリア。
【請求項９】
前記ボトムパネルの縁が、前記開口に沿って前記第４の折り線から前記第５の折り線まで延びる、請求項６に記載のキャリア。
【請求項１０】
前記複数のパネルは、第４の折り線に沿って前記ボトムパネルに折り曲げ可能につながっているサイドパネルを更に含み、前記開口は、前記サイドパネル内に延びて前記第４の折り線を中断し、前記ボトムパネルは少なくとも部分的に前記第４の折り線によって画定されるボトム傾斜パネルを含み、前記開口は前記ボトム傾斜パネルに延びる、請求項１に記載のキャリア。
【請求項１１】
請求項１に記載のキャリアと前記複数の物品のうちの１つの物品との組合せであって、前記物品の前記底部は、ドーム形状部と、該ドーム形状部から概ね下方に延びる内側リムとを有し、前記保持用タブの前記遠位部分は前記内側リムに係合し、前記遠位部分の遠位縁は、前記物品の前記内側リムに係合し、前記遠位縁は、前記第１の近位部分及び前記第２の近位部分とは反対側に配置される、組合せ。
【請求項１２】
請求項１に記載のキャリアと前記複数の物品のうちの１つの物品との組合せであって、前記物品の前記底部は、ドーム形状部と、該ドーム形状部から概ね下方に延びる内側リムとを有し、前記保持用タブの前記遠位部分は前記内側リムに係合し、前記第１の近位部分及び前記第２の近位部分に近接する前記遠位部分の一部分が、前記物品の前記ドーム形状部から概ね離間している、組合せ。
【請求項１３】
複数の物品を保持するキャリアを形成するブランクであって、該ブランクは、
少なくともボトムパネルを含む複数のパネルと、
該ブランクから前記キャリアが形成される場合、前記複数の物品のうちの１つの物品の少なくとも一部分に係合する保持用タブであって、該保持用タブは、少なくとも前記ボトムパネルに折り曲げ可能につながっているとともに、少なくとも１つの切れ目に沿って前記ボトムパネルから少なくとも部分的に分離可能であり、該保持用タブは、第１の折り線に沿って第１の近位部分に、第２の折り線に沿って第２の近位部分に、また第３の折り線に沿って第３の近位部分にそれぞれ折り曲げ可能につながっている遠位部分を有し、前記第１の折り線は、前記第２の折り線から離間しており、前記第１の近位部分、前記第２の近位部分及び前記第３の近位部分のそれぞれが、前記ボトムパネルに折り曲げ可能につながっており、前記遠位部分は、該ブランクから前記キャリアが形成される場合、前記少なくとも１つの物品の底部に係合するように前記ボトムパネルから概ね離間するものであり、前記遠位部分は、少なくとも前記第１の折り線から前記第２の折り線まで延びる第１の切れ目線に沿って、前記第１の近位部分から少なくとも部分的に分離可能であるとともに、少なくとも前記第３の折り線から前記第２の折り線まで延びる第２の切れ目線に沿って、前記第３の近位部分から少なくとも部分的に分離可能である、保持用タブと、
を備える、ブランク。
【請求項１４】
前記第３の折り線は、前記第１の折り線と略同一線上にある、請求項１３に記載のブランク。
【請求項１５】
前記遠位部分の一部分が、前記第１の折り線及び前記第３の折り線のそれぞれの端の間に延びる、請求項１３に記載のブランク。
【請求項１６】
前記遠位部分は、少なくとも前記第１の折り線の端から前記第２の折り線の端まで延びる切れ目線に沿って、前記第１の近位部分から少なくとも部分的に分離可能である、請求項１３に記載のブランク。
【請求項１７】
前記第１の近位部分は、第４の折り線に沿って前記ボトムパネルに折り曲げ可能につながっており、前記第２の近位部分は、第５の折り線に沿って前記ボトムパネルに折り曲げ可能につながっており、前記第４の折り線は、前記第５の折り線から離間している、請求項１３に記載のブランク。
【請求項１８】
前記第１の折り線、前記第２の折り線、前記第３の折り線、及び前記第４の折り線は、互いに対して略平行である、請求項１７に記載のブランク。
【請求項１９】
前記第３の近位部分は、第６の折り線に沿って前記ボトムパネルに折り曲げ可能につなげられており、前記第４の折り線は、前記第６の折り線と略同一線上にある、請求項１７に記載のブランク。
【請求項２０】
前記第２の近位部分は、少なくとも前記第４の折り線から前記第５の折り線まで延びる切れ目線に沿って、前記ボトムパネルから少なくとも部分的に分離可能である、請求項１７に記載のブランク。
【請求項２１】
前記複数のパネルは、第４の折り線に沿って前記ボトムパネルに折り曲げ可能につながっているサイドパネルを更に含み、保持パネルは、前記少なくとも１つの切れ目及び該保持パネルが前記第４の折り線を中断するように、前記少なくとも１つの切れ目に沿って前記サイドパネルから更に分離可能である、請求項１３に記載のブランク。
【請求項２２】
複数の物品を保持するキャリアを形成する方法であって、該方法は、
少なくともボトムパネルを含む複数のパネルと、少なくとも前記ボトムパネルに折り曲げ可能につながっているとともに、少なくとも１つの切れ目線に沿って前記ボトムパネルから少なくとも部分的に分離可能な保持用タブであって、該保持用タブは、第１の折り線に沿って第１の近位部分に、第２の折り線に沿って第２の近位部分に、また第３の折り線に沿って第３の近位部分にそれぞれ折り曲げ可能につながっている遠位部分を有し、前記第１の折り線は、前記第２の折り線から離間しており、前記第１の近位部分、前記第２の近位部分及び前記第３の近位部分のそれぞれは、前記ボトムパネルに折り曲げ可能につながっている、保持用タブとを備えるブランクを得ることと、
前記複数のパネルを互いに対して折り曲げることにより、カートンの内部の少なくとも一部分を形成することと、
前記複数の物品のうちの少なくとも１つの物品の少なくとも底部に係合するように前記保持用タブを配置することと、
を含み、前記保持用タブを配置することは、前記第１の近位部分及び前記第２の近位部分のそれぞれが前記ボトムパネルから前記遠位部分まで延びるように、前記遠位部分の第１の縁が、前記第１の折り線と前記第２の折り線の間に延び、前記遠位部分の第２の縁が、前記第３の折り線と前記第２の折り線の間に延びるように、また前記保持用タブが、少なくとも前記ボトムパネルにある開口に隣接して少なくとも前記ボトムパネルに折り曲げ可能につながるように、前記ボトムパネルから概ね離間するよう前記保持用タブの前記遠位部分を配置することを含む、方法。
【請求項２３】
前記保持用タブの前記遠位部分を配置することは、前記第３の近位部分を前記ボトムパネルから前記遠位部分まで延びるように配置することと、前記遠位部分の一部分が、前記第１の折り線及び前記第３の折り線のそれぞれの端の間に延びること、を含む、請求項２２に記載の方法。
【請求項２４】
前記第１の近位部分は、第４の折り線に沿って前記ボトムパネルに折り曲げ可能につながっており、前記第２の近位部分は、第５の折り線に沿って前記ボトムパネルに折り曲げ可能につながっており、前記第４の折り線は、前記第５の折り線から離間しており、前記保持用タブを配置することは、前記第１の近位部分を前記第１の折り線及び前記第４の折り線に沿って折り曲げることと、前記第２の近位部分を前記第２の折り線及び前記第５の折り線に沿って折り曲げることと、を更に含む、請求項２２に記載の方法。
【請求項２５】
前記方法は、前記複数の物品のうちの１つの物品を得ることを更に含み、前記物品の前記底部は、ドーム形状部と、該ドーム形状部から概ね下方に延びる内側リムとを有し、前記保持用タブの前記遠位部分を配置することは、前記内側リムに係合するように前記遠位部分の遠位縁を配置することを含む、請求項２２に記載の方法。